(57)【要約】【課題】複雑化を抑制すると共に強度を維持してフライホイールハウジングを小型化するフライホイールハウジングの組付構造を提供する。【解決手段】内燃機関を構成するシリンダブロック７と、フライホールを覆うフライホイールハウジング９と、クラッチ機構を内蔵するクラッチハウジング１０とを備えるフライホイールハウジング９の組付構造であって、フライホイールハウジング９をシリンダブロック７とクラッチハウジング１０の間に配置し、クラッチハウジング１０及びフライホイールハウジング９並びにシリンダブロック７を締結手段１４でまとめて組み付けるよう構成する。【選択図】図１
2007051590.tif 000002
【特許請求の範囲】
【請求項１】
内燃機関を構成するシリンダブロックと、フライホールを覆うフライホイールハウジングと、クラッチ機構を内蔵するクラッチハウジングとを備えるフライホイールハウジングの組付構造であって、前記フライホイールハウジングをシリンダブロックとクラッチハウジングの間に配置し、前記クラッチハウジング及びフライホイールハウジング並びにシリンダブロックを締結手段でまとめて組み付けるよう構成したことを特徴とするフライホイールハウジングの組付構造。
【請求項２】
シリンダブロックの下方に位置するオイルパンを、クラッチハウジング及びフライホイールハウジングと締結手段でまとめて組み付けるよう構成した請求項１記載のフライホイールハウジングの組付構造。
【発明の詳細な説明】
【技術分野】
【０００１】
本発明は、フライホイールハウジングの組付構造に関するものである。
【背景技術】
【０００２】
一般に、内燃機関は、図３に示す如く、内部にクランク軸（図示せず）を回転自在に配置するシリンダブロック１と、シリンダブロック１の下面に取り付けられるオイルパン２とを備え、クランク軸によりフライホイール（図示せず）を連動させると共に、動力をクラッチ機構（図示せず）に伝達するようにしている。
【０００３】
又、シリンダブロック１及びオイルパン２の側部には、フライホイールを覆うように、フライホイールハウジング３がボルト等の第一締結手段４により固定されており、フライホイールハウジング３の反シリンダブロック側の側部には、クラッチ機構を内蔵するように、クラッチハウジング５が他のボルト等の第二締結手段６により固定されている。なお、図中、Ｌ１はフライホイールハウジングの組付方向の長さを示している。
【０００４】
ここで、内燃機関、フライホイールハウジング、クラッチハウジングに関連する先行技術文献としては、下記の特許文献１、２がある。
【特許文献１】特開２０００−４５８６３号公報
【特許文献２】特開２００１−６５３６２号公報
【発明の開示】
【発明が解決しようとする課題】
【０００５】
しかしながら、近年、内燃機関を搭載する際には、周辺部材の構成や配置からフライホイールハウジング３を小型化することが求められており、単純にフライホイールハウジング３を小型化した場合には、第一締結手段４と第二締結手段６が近接して構成が複雑化すると共に、強度が十分でないという問題があった。
【０００６】
本発明は上述の実情に鑑みてなしたもので、複雑化を抑制すると共に強度を維持してフライホイールハウジングを小型化するフライホイールハウジングの組付構造を提供することを目的としている。
【課題を解決するための手段】
【０００７】
本発明は、内燃機関を構成するシリンダブロックと、フライホールを覆うフライホイールハウジングと、クラッチ機構を内蔵するクラッチハウジングとを備えるフライホイールハウジングの組付構造であって、前記フライホイールハウジングをシリンダブロックとクラッチハウジングの間に配置し、前記クラッチハウジング及びフライホイールハウジング並びにシリンダブロックを締結手段でまとめて組み付けるよう構成したことを特徴とするフライホイールハウジングの組付構造、に係るものである。
【０００８】
本発明において、シリンダブロックの下方に位置するオイルパンを、クラッチハウジング及びフライホイールハウジングと締結手段でまとめて組み付けるよう構成したことが好ましい。
【０００９】
このように、本発明によれば、締結手段によりフライホイールハウジングを、クラッチハウジングと共にまとめてシリンダブロックに組み付けるので、締結手段による配置構成や組付を容易にし、複雑化を抑制することができる。又、フライホイールハウジングを組み付ける締結手段が、クラッチハウジングからシリンダブロックまで延在するので、フライホイールハウジングを補強して小型化することができる。
【００１０】
本発明において、シリンダブロックの下方に位置するオイルパンを、クラッチハウジング及びフライホイールハウジングと締結手段でまとめて組み付けるよう構成すると、フライホイールハウジングを、シリンダブロック及びオイルパンと、クラッチハウジングとの間に配置するので、フライホイールハウジングを好適に補強して小型化することができる。
【発明の効果】
【００１１】
上記した本発明のフライホイールハウジングの組付構造によれば、クラッチハウジングの締結手段により、締結手段の組付を容易にして複雑化を抑制すると共に、強度を維持してフライホイールハウジングを小型化することができるという種々の優れた効果を奏し得る。
【発明を実施するための最良の形態】
【００１２】
以下本発明の実施の形態を図面を参照しつつ説明する。
【００１３】
図１、図２は本発明を実施する形態例を示すものである。
【００１４】
本発明の形態例は、内燃機関を構成するシリンダブロック７及びオイルパン８と、フライホール（図示せず）を覆うフライホイールハウジング９と、クラッチ機構（図示せず）を内蔵するクラッチハウジング１０とから構成されており、シリンダブロック７及びオイルパン８の側部には、クランク軸（図示せず）を中心として所定の間隔で環状に配置される複数の取付孔１１を備え、フライホイールハウジング９の周縁部９ａには、取付孔１１に対応するよう、所定の間隔で環状に配置される第一締結孔１２を備え、クラッチハウジング１０の周縁部１０ａには、取付孔１１及び第一締結孔１２に対応するよう、所定の間隔で環状に配置される第二締結孔１３を備えている。
【００１５】
以下、本発明を実施する形態例の作用を説明する。
【００１６】
シリンダブロック７及びオイルパン８、フライホイールハウジング９、クラッチハウジング１０を組み付ける際には、シリンダブロック７及びオイルパン８と、クラッチハウジング１０との間に、フライホイールハウジング９を配置し、ボルト及びナット等の締結手段１４を第二締結孔１３、第一締結孔１２、取付孔１１に順番に挿通して締結することにより、クラッチハウジング１０、フライホイールハウジング９、シリンダブロック７及びオイルパン８をまとめて組み付ける。
【００１７】
ここで、ボルト及びナット等の締結手段１４は、クラッチハウジング１０からフライホイールハウジング９を介してシリンダブロック７及びオイルパン８まで延在し、且つフライホイールハウジング９の周縁部９ａに配置されることにより、フライホイールハウジング９の周囲を囲んでフライホイールハウジング９の全体を補強している。なお、図中、Ｌ２はフライホイールハウジングの組付方向の長さを示している。
【００１８】
このように、実施の形態例によれば、締結手段１４によりフライホイールハウジング９をクラッチハウジング１０と共にまとめてシリンダブロック７及びオイルパン８に組み付けるので、従来の第一締結手段及び第二締結手段の如く複雑な構成を不要にして締結手段１４の配置構成を簡略化すると共に、クラッチハウジング１０、フライホイールハウジング９、シリンダブロック７及びオイルパン８の組付を容易にし、構成や組付行程等の複雑化を抑制することができる。又、フライホイールハウジング９を組み付ける締結手段１４が、クラッチハウジング１０から、シリンダブロック７及びオイルパン８まで延在するので、フライホイールハウジング９を補強して小型化（フライホイールハウジングの組付方向の長さでＬ２＜Ｌ１）することができる。
【００１９】
実施の形態例において、シリンダブロック７の下方に位置するオイルパン８を、クラッチハウジング１０及びフライホイールハウジング９と締結手段１４でまとめて組み付けるよう構成すると、フライホイールハウジング９を、シリンダブロック７及びオイルパン８と、クラッチハウジング１０との間に配置するので、フライホイールハウジング９を好適に補強して小型化することができる。
【００２０】
尚、本発明のフライホイールハウジングの組付構造は、上述の形態例にのみ限定されるものではなく、クラッチハウジング、フライホイールハウジングを、シリンダブロック又はオイルパンのいずれか一方に組み付けても良いこと、締結手段はボルトに限定されるものでなく、クラッチハウジング、フライホイールハウジング、シリンダブロック及び／又はオイルパンをまとめて組み付けるならば他の手段でも良いこと、その他、本発明の要旨を逸脱しない範囲内において種々変更を加え得ることは勿論である。
【図面の簡単な説明】
【００２１】
【図１】本発明を実施する形態例のシリンダブロック、フライホイールハウジング、クラッチハウジングの構造を示す概念図である。
【図２】フライホイールハウジングの組付構造を示す側面図である。
【図３】従来のフライホイールハウジングの組付構造を示す側面図である。
【符号の説明】
【００２２】
７    シリンダブロック
８    オイルパン
９    フライホイールハウジング
１０    クラッチハウジング
１４    締結手段
【図１】
2007051590.tif 000003
【図２】
2007051590.tif 000004
【図３】
2007051590.tif 000005